(57)【要約】【課題】運転の動作モードによって、必ずしも使用しない脱水工程および乾燥工程の運転条件の変更を一つの操作手段により行なう洗濯乾燥機を提供する。【解決手段】外部から脱水工程および乾燥工程の運転条件を設定する指示を受けるための操作部２と、洗濯、脱水および乾燥を制御するための制御装置とを備え、制御装置は、少なくとも洗い工程とすすぎ工程と脱水工程とを有する一連の工程を選択して実行する洗濯運転モードが選択された場合は、操作部２に含まれる脱水乾燥マニュアルキーへの入力に応じて脱水工程の運転条件の設定を可能とし、一連の工程に加えてさらに乾燥工程を選択して実行する全自動運転モードが選択された場合は、脱水乾燥マニュアルキーへの入力に応じて乾燥工程の運転条件の設定を可能とする。【選択図】        図１
2004180702.tif 000002
【特許請求の範囲】
【請求項１】
少なくとも洗濯運転モードと、全自動運転モードとを有する動作モードのうち何れか一つを選択して実行する洗濯乾燥機であって、
衣類を洗うための洗濯手段と、
前記衣類に遠心力を与えることにより脱水処理を行なう脱水工程を実行するための脱水手段と、
前記衣類を乾燥させる乾燥工程を実行するための乾燥手段と、
外部から前記脱水工程および前記乾燥工程の運転条件を設定する指示を受けるための操作手段と、
前記洗濯手段、前記脱水手段および前記乾燥手段を制御するための制御手段とを備え、
前記制御手段は、少なくとも洗い工程とすすぎ工程と前記脱水工程とを有する一連の工程を選択して実行する前記洗濯運転モードが選択された場合は、前記操作手段への指示に応じて前記脱水工程の前記運転条件の設定を可能とし、前記一連の工程に加えてさらに前記乾燥工程を選択して実行する前記全自動運転モードが選択された場合は、前記操作手段への指示に応じて前記乾燥工程の前記運転条件の設定を可能とする、洗濯乾燥機。
【請求項２】
外部から前記動作モードのうち何れか一つを選択する指示を受けるためのモード切換手段をさらに備える、請求項１記載の洗濯乾燥機。
【請求項３】
前記動作モードは、前記乾燥工程を選択して実行する乾燥運転モードをさらに有し、
前記制御手段は、前記乾燥運転モードを選択された場合は、前記操作手段への指示に応じて前記乾燥工程の前記運転条件の設定を可能とする、請求項２記載の洗濯乾燥機。
【請求項４】
前記操作手段は、外部からの指示を受けて前記動作モードのうち何れか一つを選択する、請求項１記載の洗濯乾燥機。
【請求項５】
前記制御手段は、前記操作手段への所定の時間以上の連続した入力に応じて、前記動作モードのうちいずれか一つの選択を可能とする、請求項４記載の洗濯乾燥機。
【請求項６】
前記動作モードは、前記乾燥工程を選択して実行する乾燥運転モードをさらに有し、
前記制御手段は、前記乾燥運転モードを選択された場合は、前記操作手段への指示に応じて前記乾燥工程の前記運転条件の設定を可能とする、請求項４記載の洗濯乾燥機。
【請求項７】
外部から前記衣類の種類および汚れに応じて前記一連の工程の制御を行なう運転コースのうちいずれか一つを選択する指示を受けるためのコース選択手段をさらに備え、
前記コース選択手段は、外部からの指示を受けて前記動作モードのうち何れか一つを選択する、請求項１記載の洗濯乾燥機。
【請求項８】
前記動作モードは、前記乾燥工程を選択して実行する乾燥運転モードをさらに有し、
前記制御手段は、前記乾燥運転モードを選択された場合は、前記操作手段への指示に応じて前記乾燥工程の前記運転条件の設定を可能とする、請求項７記載の洗濯乾燥機。
【請求項９】
前記運転条件を表示するための表示手段をさらに備え、
前記制御手段は、前記脱水工程および前記乾燥工程のうち前記運転条件の設定を可能としている前記工程を前記表示手段により表示させる、請求項１記載の洗濯乾燥機。
【発明の詳細な説明】
【０００１】
【発明の属する技術分野】
本発明は、洗濯乾燥機の構成に関し、特に、洗濯乾燥機のユーザーインターフェースの構成に関するものである。
【０００２】
【従来の技術】
従来、全自動洗濯機は、表示パネルを含む操作部で全自動コースを選択できる。たとえば、従来例としては、衣類にあった全自動コースを選択できる全自動洗濯機について、以下のような構成が公知である（たとえば、特許文献１参照）。すなわち、この従来例では、３種の全自動コースを有しているもので、マニュアル設定で水量か行程キーとの組み合わせにより、新たに３種の全自動コースが設定できる制御ソフトとすることを課題としている。この課題に対する解決手段として、全自動コースキーと水量、行程キーの組み合わせによる、全自動コースの設定とする。この解決手段に対する効果として、３種の全自動コースで、６種異なった全自動コースで衣類に合ったコースを選択できる。また、コスト低減化が図れる。
【０００３】
【特許文献１】
特開２０００―７０５８５号公報明細書
【０００４】
【発明が解決しようとする課題】
ドラム式洗濯乾燥機の筐体の前部には操作部が設けられる。その裏側には制御装置が取り付けられている。制御装置は、操作部からの入力に基づいて洗い工程、すすぎ工程、脱水工程、乾燥工程を連続または複数工程または単独工程にて実行する。
【０００５】
次に、ドラム式洗濯乾燥機に備えられる操作部の入力キーのレイアウトについて図を用いて説明する。
【０００６】
図１４は、ドラム式洗濯乾燥機に備えられる操作部の入力キーのレイアウトの一例を示す図である。
【０００７】
図１４を参照して、操作部は、液晶等からなる表示装置３６と、洗濯時間を設定するための予約キー１１８と、水温を設定するための水温キー１２０と、洗い工程の運転条件を設定するための洗いマニュアルキー１２２と、すすぎ工程の運転条件を設定するためのすすぎマニュアルキー１２４と、脱水工程の運転条件を選択するための脱水マニュアルキー１２５と、乾燥工程の運転条件を選択するための乾燥マニュアルキー１２７と、コースを選択するためのコース選択キー１２８と、洗濯運転モード、全自動運転モードおよび乾燥運転モードを設定するための洗乾切換キー１３０と、電源スイッチ１３２と、ドラム式洗濯乾燥機１００の動作をスタート・一時停止させるためのスタートキー１３４とを備える。
【０００８】
ドラム式洗濯乾燥機においては、それぞれの工程に対応して運転条件の選択を可能とするマニュアルキーを設けている。
【０００９】
上記のような操作部を備える洗濯乾燥機は、洗濯運転モード、全自動運転モードおよび乾燥運転モードのうち洗濯運転モードだけが選択されている場合には、乾燥工程の運転条件の設定は不要であった。
【００１０】
また、乾燥運転モードだけが選択されている場合には。洗い工程、すすぎ工程および脱水工程の運転条件の設定は不要であった。
【００１１】
本発明は、上記のような問題点を解決するためになされたものであって、その目的は、運転の動作モードによって、必ずしも使用しない脱水工程および乾燥工程の運転条件の変更を一つの操作手段により行なう洗濯乾燥機を提供するものである。
【００１２】
【課題を解決するための手段】
上記目的を達成するために、本発明のある局面に従うと、少なくとも洗濯運転モードと、全自動運転モードとを有する動作モードのうち何れか一つを選択して実行する洗濯乾燥機であって、衣類を洗うための洗濯手段と、衣類に遠心力を与えることにより脱水処理を行なう脱水工程を実行するための脱水手段と、衣類を乾燥させる乾燥工程を実行するための乾燥手段と、外部から脱水工程および乾燥工程の運転条件を設定するための指示を受ける操作手段と、洗濯手段、脱水手段および乾燥手段を制御するための制御手段とを備え、制御手段は、少なくとも洗い工程とすすぎ工程と脱水工程とを有する一連の工程を選択して実行する洗濯運転モードが選択された場合は、操作手段への指示に応じて脱水工程の運転条件の設定を可能とし、一連の工程に加えてさらに乾燥工程を選択して実行する全自動運転モードが選択された場合は、操作手段への指示に応じて乾燥工程の運転条件の設定を可能とする。
【００１３】
好ましくは、外部から動作モードのうち何れか一つを選択するための指示を受けるモード切換手段をさらに備える。
【００１４】
好ましくは、動作モードは、乾燥工程を選択して実行する乾燥運転モードをさらに有し、制御手段は、乾燥運転モードを選択された場合は、操作手段への指示に応じて乾燥工程の運転条件の設定を可能とする。
【００１５】
好ましくは、操作手段は、外部からの指示を受けて動作モードのうち何れか一つを選択する。
【００１６】
好ましくは、制御手段は、操作手段への所定の時間以上の連続した入力に応じて、動作モードのうちいずれか一つの選択を可能とする。
【００１７】
好ましくは、動作モードは、乾燥工程を選択して実行する乾燥運転モードをさらに有し、制御手段は、乾燥運転モードを選択された場合は、操作手段への指示に応じて乾燥工程の運転条件の設定を可能とする。
【００１８】
好ましくは、外部から衣類の種類および汚れに応じて一連の工程の制御を行なう運転コースのうちいずれか一つを選択するための指示を受けるコース選択手段をさらに備え、コース選択手段は、外部からの指示を受けて動作モードのうち何れか一つを選択する。
【００１９】
好ましくは、動作モードは、乾燥工程を選択して実行する乾燥運転モードをさらに有し、制御手段は、乾燥運転モードを選択された場合は、操作手段への指示に応じて乾燥工程の運転条件の設定を可能とする。
【００２０】
好ましくは、運転条件を表示するための表示手段をさらに備え、制御手段は、脱水工程および乾燥工程のうち運転条件の設定を可能としている工程を表示手段により表示させる。
【００２１】
【発明の実施の形態】
以下、本発明の実施の形態について図面を用いて説明する。
【００２２】
（実施の形態１）
本発明の実施の形態としてドラム式洗濯乾燥機１００の構成について説明する。ただし、本発明の構成としては、ドラム式洗濯乾燥機に限定せず、衣類の洗濯運転および乾燥運転を行なう洗濯乾燥機であればよい。
【００２３】
図１は、本発明の実施の形態１におけるドラム式洗濯乾燥機１００の概略斜視図である。
【００２４】
図１を参照して、ドラム式洗濯乾燥機１００は、筐体１と、外部からの指示を入力するための操作部２と、筐体１の内部を密閉するためのドア４を備えている。操作部２には外部から指示を入力するための入力キーと入力状況を確認できる表示装置３６（図示せず）とを含む。操作部２の裏側には制御装置２００（図示せず）が取り付けられている。制御装置２００は、操作部２からの入力に応じて選択された、洗い工程、すすぎ工程、脱水工程、乾燥工程を連続または複数工程または単独工程にて実行する動作モードに基づいて制御を行なう。
【００２５】
動作モードは、少なくとも洗い工程、すすぎ工程および脱水工程を有する一連の工程を選択して実行する洗濯運転モードと、一連の工程に加えて乾燥工程を選択して実行する全自動運転モードと、乾燥工程を選択して運転を行なう乾燥運転モードを有する。
【００２６】
図２は、本発明における実施の形態１のドラム式洗濯乾燥機１００の縦断面図である。
【００２７】
図２を参照して、ドラム式洗濯乾燥機１００は、筐体１内に設けられる水槽８と、この水槽８内に水平軸２０を中心として回転可能に支持されたドラム１８と、ドラム１８を回転させるためのドラム駆動モータ１６と、ドラム１８内に洗濯液およびすすぎ水を噴射するための供給口３４と、水槽８内の洗濯液およびすすぎ水を機外に導くための排水用ポンプ１２と、水槽８および排水用ポンプ１２の間の配管経路に設けられた糸屑フィルタ１０と、水槽８内の洗濯液およびすすぎ水を回収した後再び供給口３４に戻す循環用ポンプ１４と、水槽８内に水を供給するための給水弁２４と、水槽８内の水位を検知するための水位センサ２２と、乾燥用ヒータ２６と乾燥工程時に温風を循環させるための送風機２８とを内装した循環用ダクト３０と、筐体１の前面に洗濯物を出し入れするために設けられたドア４と、このドア４と水槽８との間に介される密閉用パッキン３２とを備えている。
【００２８】
水槽８は、運転中の振動を吸収するために筐体１にバネ（図示せず）で吊り下げられている。また水槽８は、洗濯液やすすぎ水の貯水・排水ができるようになっている。ドラム１８は、その周壁全体に洗濯時の給水、脱水時の排水、および乾燥時の温風を通過させるための多数の小孔６を含む。糸屑フィルタ１０は、筐体１の前面下部から着脱できるようになっている。循環用ポンプ１４は、水槽８内の洗濯液およびすすぎ水を回収した後、図示しない管を介して再び供給口３４に戻す。
【００２９】
洗い工程において制御装置２００は、ドラム１８内に洗濯物が投入された後、給水弁２４を開く。つづいて、制御装置２００は、供給口３４から洗剤を溶かした洗濯液を上方から流し込む。流し込まれた洗剤は、洗濯物に含まれる。その後、制御装置２００は、給水弁２４を閉じる。そして、制御装置２００は、ドラム駆動モータ１６を駆動させることによりドラム１８を低速回転させる。ドラム１８内の洗濯物は、ドラム１８の回転による遠心力とバッフル（図示せず）とにより、ドラム１８内の頂上付近まで持ち上げられた後、自重により落下する。これをタンブリングという。このタンブリングを繰り返すことにより洗濯物は、落下時の衝撃力でタタキ洗いされる。そしてこのタンブリングを設定時間、運転した後、制御装置２００は、排水用ポンプ１２を動作させることにより、水槽８内の水を排水する。
【００３０】
すすぎ工程において制御装置２００は、すすぎ工程のはじめに排水用ポンプ１２を動作させる。つづいて制御装置２００は、ドラム１８を高速回転させ脱水を行なう。これを中間脱水という。この中間脱水後、制御装置２００は、排水用ポンプ１２を停止させる。制御装置２００は、水槽８に給水弁２４より給水する。そして、洗い工程と同様にタンブリングを設定時間運転した後、制御装置２００は、排水用ポンプ１２を動作させることにより、水槽８内の水を排水する。
【００３１】
脱水工程において制御装置２００は、ドラム１８を高速回転させる。すなわち、脱水工程は、洗濯物を遠心力でドラム１８の周壁内面に押し付けることにより行なう。このとき、洗濯物に含まれている水は、ドラム１８の周壁の小孔６から水槽８に向かって飛ばされる。そして、飛ばされた水は、水槽８の内面に沿って下部に導かれる。その後、下部に導かれた水は、排水用ポンプ１２により機外に排出される。上記中間脱水も同様の手順により脱水される。
【００３２】
乾燥工程において制御装置２００は、乾燥用ヒータ２６により乾燥用空気を加熱する。高温となった乾燥用空気を送風機２８でドラム１８内に吹き込む。それに伴ってドラム１８を低速回転させる。水槽８内に吹き込まれた高温の空気は、ドラム１８の回転により撹拌される。洗濯物を含む水槽８内部全体の温度を上昇させることにより、洗濯物に含まれている水分は、蒸発する。この高温多湿状態の空気は、循環用ダクト３０における水槽８の出口と接続された部分から乾燥用ヒータ２６までの経路を通過する間に冷却水と直接接触して冷却される。これにより、空気中の水分が凝縮される。この水分を機外に排出することにより除湿が行われる。除湿後の空気は、再び乾燥用ヒータ２６により加熱される。そして、ドラム１８内に吹き込まれる。このサイクルを繰り返すことにより洗濯物は、乾燥する。
【００３３】
図３は、本発明の実施の形態におけるドラム式洗濯乾燥機１００に搭載されている制御装置２００のブロック図である。
【００３４】
図３を参照して、制御装置２００は、所定のプログラムを記憶するためのＲＯＭ（Ｒｅａｄ  Ｏｎｌｙ  Ｍｅｍｏｒｙ）４８と外部からの指示により選択された運転条件等の情報を一時的に格納するためのＲＡＭ（Ｒａｎｄｏｍ  Ａｃｃｅｓｓ  Ｍｅｍｏｒｙ）５８とＲＡＭ５８に格納された情報に基づき演算処理を行なうための演算部６２および外部の電気回路および装置の制御を行なうための制御部６４を有するＣＰＵ６０と外部の電気回路およぶ装置と電気信号の授受を行なうための入出力装置５２とＣＰＵ６０、メモリ（ＲＡＭ５８とＲＯＭ４８）および入出力装置５２の間で相互にデータを転送するためのＤＢＳ（ｄａｔａ  ｂｕｓ  ｓｙｓｔｅｍ）６６と時間を検知するためのタイマー５６とを内部に含むマイクロコンピュータ５０と、マイクロコンピュータ５０に電力を供給するための電源回路５４と、操作部２への入力をデジタル信号に変換するための入力キー回路４４と、ドラム式洗濯乾燥機１００に備えられる各種センサとセンサからの信号をデジタル信号に変換する回路とを含む状態検知回路４２と、表示装置３６と、洗濯終了時や異常があった場合に音を発するブザー４０と、各種装置に供給する電圧を制御するための負荷駆動回路３８と、マイクロコンピュータ５０を初期化するためのリセット回路４６とを備える。
【００３５】
負荷駆動回路３８には、排水用ポンプ１２と、送風機２８と、ドラム駆動モータ１６と、給水弁２４と、乾燥用ヒータ２６と、循環用ポンプ１４とが接続されている。
【００３６】
マイクロコンピュータ５０は、入出力装置５２を介して、入力キー回路４４と、状態検知回路４２と、表示装置３６と、ブザー４０と、負荷駆動回路３８と接続されている。マイクロコンピュータ５０は、内部に含まれるＲＯＭ４８に記憶されているプログラムにしたがって各種の制御を行なう。状態検知回路４２は、温度センサ、水位センサ等のセンサと、これらのセンサからの信号をデジタル信号に変換する回路とを含む。負荷駆動回路３８は、マイクロコンピュータ５０の出力に基づいて、乾燥用ヒータ２６、送風機２８、排水用ポンプ１２、循環用ポンプ１４、給水弁２４、ドラム駆動モータ１６に供給される電圧の制御を行なう。
【００３７】
図４は、本発明の実施の形態１における操作部２の入力キーのレイアウトを示す図である。
【００３８】
図４を参照して、本発明の実施の形態１における操作部２は、液晶等からなる表示装置１０２と、洗濯時間を設定するための予約キー１１８と、予約が設定されたことを表示するための予約表示領域１０４と、水温を設定するための水温キー１２０と、水温が設定されたことを表示するための水温表示領域１０６と、洗い工程が設定されたことを表示するための洗い表示領域１０８と、洗い工程の運転条件を設定するための洗いマニュアルキー１２２と、すすぎ工程が設定されたことを表示するためのすすぎ表示領域１１０と、すすぎ工程の運転条件を設定するためのすすぎマニュアルキー１２４と、洗濯運転モードにおける脱水工程または全自動運転モードおよび乾燥運転モードにおける乾燥工程の運転条件を設定するための脱水乾燥マニュアルキー１２６と、脱水工程が設定されたことを表示するための脱水表示領域１１２と、乾燥工程が設定されたことを表示するための乾燥表示領域１１４と、運転コースを選択するためのコース選択キー１２８と、設定された運転コースを表示するためのコース表示領域１１６と、洗濯運転モード、全自動運転モードおよび乾燥運転モードのうち何れか一つを選択するための洗乾切換キー１３０と、電源スイッチ１３２と、ドラム式洗濯乾燥機１００の動作をスタート・一時停止させるためのスタートキー１３４を備える。
【００３９】
本発明の実施の形態１においてドラム式洗濯乾燥機１００は、通常の洗濯を行なう標準コースと、毛布を洗濯する毛布コースと、洗濯物の汚れが軽い場合に簡単に洗濯するスピードコースとの３つの運転コースを有し、コース選択キー１２８を操作することにより所望の運転コースを選択することができるようになっている。
【００４０】
図５は、洗いマニュアルキー１２２およびすすぎマニュアルキー１２４を押す毎に変更される表示装置１０２内の表示の変更手順を示す図である。図５（Ａ）は、洗いマニュアルキー１２２を押す毎に変更される洗い表示領域１０８内の表示の変更手順を示す図である。一方、図５（Ｂ）は、すすぎマニュアルキー１２４を押す毎に変更されるすすぎ表示領域１１０内の表示の変更手順を示す図である。
【００４１】
図５（Ａ）を参照して、制御装置２００は、洗いマニュアルキー１２２を押す毎に洗い工程の運転条件の表示を（１）→（２）→（３）→（４）→（５）→（６）→（１）と順次繰り返し変更する。ここで洗い表示領域１０８内の時間の表示は、洗い工程の運転時間を表わす。時間の表示がない（１）は、洗い工程を所定時間、運転を行なう自動運転である。また洗い表示領域１０８内に洗い工程を表わす表示がない（６）の場合において洗い工程は、運転されないことを表わす。
【００４２】
図５（Ｂ）を参照して、制御装置２００は、すすぎマニュアルキー１２４を押す毎にすすぎ工程の運転条件の表示を（１）→（２）→（３）→（４）→（５）→（１）と順次繰り返し変更する。ここですすぎ表示領域１１０内の回数の表示は、すすぎ工程の運転回数を表わす。回数の表示がない（１）は、すすぎ工程を所定回数、運転を行なう自動運転である。また、すすぎ表示領域１１０内にすすぎ工程を表わす表示がない（５）の場合においてすすぎ工程は、運転されないことを表わす。
【００４３】
図６は、コース選択キー１２８を押す毎に変更されるコース表示領域１１６内の表示の変更手順を示す図である。
【００４４】
図６を参照して、制御装置２００は、コース選択キー１２８を押す毎にコースおよび各工程の表示を（１）→（２）→（３）→（１）のように切り換える。ユーザーは、標準コースのほかに、毛布を洗濯する毛布コースと、洗濯物の汚れが軽い場合に簡単に洗濯するスピードコースを選ぶことができる。
【００４５】
図７は、洗乾切換キー１３０を押す毎に変更される表示装置１０２内の表示の変更手順およびそれぞれの運転モードが選択された場合においての脱水乾燥マニュアルキー１２６を押す毎に変更される表示装置１０２内の表示の変更手順を示す図である。図７（Ａ）は、洗乾切換キー１３０を押す毎に変更される表示装置１０２内の表示の変更手順を示す図である。図７（Ｂ）は、洗濯運転モードが選択されたときの脱水乾燥マニュアルキー１２６を押す毎に変更される脱水表示領域１１２内の表示の変更手順を示す図である。図７（Ｃ）は、乾燥運転モードのときの脱水乾燥マニュアルキー１２６を押す毎に変更される乾燥表示領域１１４内の表示の変更手順を示す図である。図７（Ｄ）は、全自動運転モードのときの脱水乾燥マニュアルキー１２６を押す毎に変更される脱水表示領域１１２内および乾燥表示領域１１４内の表示の変更手順を示す図である。
【００４６】
図７（Ａ）を参照して、制御装置２００は、洗乾切換キー１３０を押す毎に表示装置１０２内の表示を（１）（洗濯運転モード）→（２）（全自動運転モード）→（３）（乾燥運転モード）→（１）（洗濯運転モード）のように切り換える。ここで洗乾切換キー１３０を押した直後に表示される工程以外のマニュアルキーは受け付けない。
【００４７】
図７（Ｂ）を参照して、脱水乾燥マニュアルキー１２６は、洗乾切換キー１３０により洗濯運転モードが設定された場合には、脱水工程の運転条件を変更するマニュアルキーに設定される。制御装置２００は、脱水乾燥マニュアルキーを押す毎に脱水表示領域１１２の表示を（１）→（２）→（３）→（４）→（５）→（１）と順次繰り返し変更する。ここで脱水表示領域１１２内の時間の表示は、脱水工程の運転時間を表わす。時間の表示がない（１）は、脱水工程を所定時間、運転する自動運転である。また脱水表示領域１１２内に脱水工程を表わす表示がない（５）の場合は、脱水工程が運転されないことを表わす。
【００４８】
図７（Ｃ）を参照して、脱水乾燥マニュアルキー１２６は、洗乾切換キー１３０により乾燥運転モードが設定された場合において乾燥工程の運転条件を変更するマニュアルキーに設定される。制御装置２００は、脱水乾燥マニュアルキーを押す毎に乾燥表示領域１１４内の表示を（１）→（２）→（３）→（４）→（１）と順次繰り返し変更する。ここで乾燥表示領域１１４内の時間の表示は、乾燥工程の運転時間を表わす。時間の表示がない（１）は、乾燥工程を所定時間、運転する自動運転である。
【００４９】
図７（Ｄ）を参照して、脱水乾燥マニュアルキー１２６は、洗乾切換キー１３０により全自動運転モードが設定された場合には、乾燥工程の運転条件を変更するマニュアルキーに設定される。制御装置２００は、脱水工程の表示領域１１２および乾燥工程の表示領域１１４内の表示を（１）→（２）→（３）→（４）→（１）と順次繰り返し変更する。ここで乾燥表示領域１１４内の時間の表示は、乾燥工程の運転時間を表わす。時間の表示がない（１）の脱水工程および乾燥工程ならびに（１）から（４）の脱水工程は、脱水工程および乾燥工程を所定時間運転する自動運転である。
【００５０】
以上のように、脱水工程および乾燥工程の運転条件を変更するための操作を脱水乾燥マニュアルキー１２６で行なうことにより、脱水工程および乾燥工程に別々の操作キーを割り当てるよりも設定部材を減らすことができる。
【００５１】
したがって、生産コストの低減が可能となる。さらに、回路基板上の配線の自由度も増加する。
【００５２】
（実施の形態２）
次に、本発明の実施の形態２におけるドラム式洗濯乾燥機１００の構成について説明する。実施の形態２におけるドラム式洗濯乾燥機１００の機械的構造の構成は、操作部２を除いて図１および図２の構成と同じである。そのため構成の説明は繰り返さない。
【００５３】
図８は、本発明の実施の形態２における操作部２の入力キーのレイアウトを示す図である。
【００５４】
図８を参照して、本発明の実施の形態２における操作部２は、液晶等からなる表示装置２０２と、洗濯時間を設定するための予約キー１１８と、予約が設定されたことを表示する予約表示領域１０４と、水温を設定するための水温キー１２０と、水温が設定されたことを表示する水温表示領域１０６と、洗い工程の運転条件を設定するための洗いマニュアルキー１２２、洗い工程が設定されたことを表示する洗い表示領域１０８と、すすぎ工程の運転条件を設定するためのすすぎマニュアルキー１２４と、すすぎ工程が設定されたことを表示するすすぎ表示領域１１０と、洗濯運転モードにおける脱水工程または全自動運転モードおよび乾燥運転モードにおける乾燥工程の運転条件を設定するための脱水乾燥マニュアルキー２２６と、脱水工程が設定されたことを表示するための脱水表示領域１１２と、乾燥工程が設定されたことを表示するための乾燥表示領域１１４と、運転コースを選択するためのコース選択キー１２８と、設定された運転コースを表示するためのコース表示領域１１６と、電源スイッチ１３２と、ドラム式洗濯乾燥機１００の動作をスタート・一時停止させるためのスタートキー１３４とを備える。
【００５５】
脱水乾燥マニュアルキー２２６は、入力から入力終了までの連続した入力の時間が所定時間以上になる場合、洗濯運転モード、全自動運転モードおよび乾燥運転モードのうちで何れか一つの選択を行なうことができる。
【００５６】
また、脱水乾燥マニュアルキー２２６は、入力から入力終了までの連続した入力の時間が所定時間に達しない場合、洗濯運転モードにおける脱水工程または全自動運転モードおよび乾燥運転モードにおける乾燥工程の運転条件の設定を行なうことができる。
【００５７】
本発明の実施の形態２においてドラム式洗濯乾燥機１００は、通常の洗濯を行なう標準コースと、毛布を洗濯する毛布コースと、洗濯物の汚れが軽い場合に簡単に洗濯するスピードコースとの３つの運転コースを有し、コース選択キー１２８を操作することにより所望の運転コースを選択することができるようになっている。
【００５８】
洗いマニュアルキー１２２を押す毎に変更される運転条件の表示の変更手順は、実施の形態１において説明した図５（Ａ）と同一である。そのため、洗い表示領域１０８内の運転条件の表示の変更手順についての説明は、繰り返さない。
【００５９】
また、すすぎマニュアルキー１２４を押す毎に変更される運転条件の表示の変更手順は、実施の形態１において説明した図５（Ｂ）と同一である。そのため、すすぎ表示領域１１０内の運転条件の表示の変更手順についての説明は、繰り返さない。
【００６０】
あるいは、コースキー１２８を押す毎に変更される運転コースの表示の変更手順は、実施の形態１において説明した図６と同一である。そのため、コース表示領域１１６内の運転コースの表示の変更手順についての説明は、繰り返さない。
【００６１】
図９は、脱水乾燥マニュアルキー２２６を押下してから離すまでの連続した時間が所定時間以上となるように押す毎に変更される表示装置２０２内の表示の変更手順を示す図である。
【００６２】
図９を参照して、制御装置２００は、脱水乾燥マニュアルキー２２６を押下してから離すまでの連続した時間が所定時間以上となるように押す毎に変更される表示装置２０２内の表示を（１）（洗濯運転モード）→（２）（全自動運転モード）→（３）（乾燥運転モード）→（１）（洗濯運転モード）のように切り換える。
【００６３】
ここで脱水マニュアルキー２２６を押下してから離すまでの連続した時間が所定時間以上になるように押した直後に表示される工程以外のマニュアルキーは受け付けない。
【００６４】
脱水乾燥マニュアルキー２２６は、洗濯運転モードが設定された場合には脱水工程の運転条件を変更するマニュアルキーに設定される。脱水乾燥マニュアルキー２２６を押下してから離すまでの連続した時間が所定時間に達しない場合に運転条件が変更される。脱水工程の運転条件を変更するときの脱水表示領域１１２内の表示の変更手順は、実施の形態１において説明した図７（Ｂ）と同一である。そのため、脱水表示領域１１２内の表示の変更手順についての説明は、繰り返さない。
【００６５】
また、脱水乾燥マニュアルキー２２６は、乾燥運転モードが設定された場合には、乾燥工程の運転条件を変更するマニュアルキーに設定される。脱水マニュアルキー２２６を押下してから離すまでの連続した時間が所定時間に達しない場合に運転条件が変更される。乾燥工程の運転条件を変更するときの乾燥表示領域１１４内の表示の変更手順は、実施の形態１において説明した図７（Ｃ）と同一である。そのため、乾燥表示領域１１２内の表示の変更手順についての説明は、繰り返さない。
【００６６】
脱水乾燥マニュアルキー２２６は、全自動運転モードが設定された場合には、乾燥工程の運転条件を変更するマニュアルキーに設定される。脱水乾燥マニュアルキー２２６を押下してから離すまでの連続した時間が所定時間に達しない場合に運転条件が変更される。乾燥工程の運転条件を変更するときの脱水表示領域１１２内および乾燥表示領域１１４内の表示の変更手順は、実施の形態１において説明した図７（Ｄ）と同一である。そのため、脱水表示領域１１２内および乾燥表示領域１１４内の表示の変更手順についての説明は、繰り返さない。
【００６７】
以上のように、脱水工程および乾燥工程の運転条件を変更するための操作を脱水乾燥マニュアルキー１２６で行なうことにより、脱水工程および乾燥工程に別々の操作キーを割り当てるよりも設定部材を減らすことができる。また、洗濯運転モード、全自動運転モードおよび乾燥運転モードのうちいずれか一つを脱水乾燥マニュアルキーの所定時間以上の押下により選択できることで、動作モードを切り換えるための切換キーを新たに設ける必要がなくなるため、設定部材を減らすことができる。
【００６８】
したがって、生産コストの低減が可能となる。さらに、回路基板上の配線の自由度も増加する。
【００６９】
（実施の形態３）
次に、本発明の実施の形態３におけるドラム式洗濯乾燥機１００の構成について説明する。実施の形態３におけるドラム式洗濯乾燥機１００の機械的構造の構成は、操作部２を除いて図１および図２の構成と同じである。そのため構成の説明は繰り返さない。
【００７０】
図１０は、本発明の実施の形態３における操作部２の入力キーのレイアウトを示す図である。
【００７１】
図１０を参照して、実施の形態３における操作部２は、液晶等からなる表示装置３０２と、洗濯時間を設定するための予約キー１１８と、予約が設定されたことを表示する予約表示領域１０４と、水温を設定するための水温キー１２０と、水温が設定されたことを表示する水温表示領域１０６と、洗濯工程の運転条件を設定するための洗いマニュアルキー１２２と、洗い工程が設定されたことを表示する洗い表示領域１０８と、すすぎ工程の運転条件を設定するためのすすぎマニュアルキー１２４と、すすぎ工程が設定されたことを表示するすすぎ表示領域１１０と、洗濯運転モードにおける脱水工程または全自動運転モードおよび乾燥運転モードにおける乾燥工程の運転条件を設定するための脱水乾燥マニュアルキー３２６と、脱水工程が設定されたことを表示する脱水表示領域１１２と、乾燥工程が設定されたことを表示する乾燥表示領域１１４と、運転コースを選択するためのコース選択キー３２８と、設定された運転コースを表示するコース表示領域１１６と、電源スイッチ１３２と、ドラム式洗濯乾燥機１００の動作をスタート・一時停止させるためのスタートキー１３４とを備える。
【００７２】
本発明の実施の形態３においてドラム式洗濯乾燥機１００は、通常の洗濯運転を行なう標準洗濯運転コースと通常の全自動運転を行なう標準全自動運転コース、通常の乾燥運転を行なう標準乾燥運転コース、また同様に毛布洗濯運転コースと毛布全自動運転コース、毛布乾燥運転コース、洗濯物の汚れが軽い場合に簡単に洗濯する洗濯運転スピードコース、同様に全自動運転スピードコース、乾燥運転スピードコースと９つの運転コースを有し、コース選択キー３２８を操作することにより所望の運転コースを選択することができるようになっている。
【００７３】
洗いマニュアルキー１２２による運転条件の表示の変更手順は、図５（Ａ）と同一である。そのため、洗い表示領域１０８内の運転条件の表示の変更手順についての説明は、繰り返さない。
【００７４】
また、すすぎマニュアルキー１２４による運転条件の表示の変更手順は、図５（Ｂ）と同一である。そのため、すすぎ表示領域１１０内の運転条件の表示の変更手順についての説明は、繰り返さない。
【００７５】
図１１は、コース選択キー３２８を押す毎に変更される表示装置３０２内の表示の変更手順を示す図である。
【００７６】
図１１を参照して、制御装置２００は、コース選択キー３２８を押す毎に変更される表示装置３０２内の表示を（１）→（２）→（３）→（４）→（５）→（６）→（７）→（８）→（９）→（１）のように切り換える。ここでコース選択キー３２８を押した直後に表示される工程以外のマニュアルキーは受け付けない。
【００７７】
脱水乾燥マニュアルキー３２６は、コース選択キー３２８により洗濯運転を行なう運転コースが設定された場合には、脱水工程の運転条件を変更するマニュアルキーに設定される。脱水工程の運転条件を変更するときの脱水表示領域１１２内の表示の変更手順は、図７（Ｂ）と同一である。そのため、脱水表示領域１１２内の表示の変更手順についての説明は、繰り返さない。
【００７８】
脱水乾燥マニュアルキー３２６は、コース選択キー３２８により乾燥運転を行なう運転コースが設定された場合には、乾燥工程の運転条件を変更するマニュアルキーに設定される。乾燥工程の運転条件を変更するときの乾燥表示領域１１４内の表示の変更手順は、図７（Ｃ）と同一である。そのため、乾燥表示領域１１４内の変更手順についての説明は、繰り返さない。
【００７９】
脱水乾燥マニュアルキー３２６は、コースキー３２８により全自動運転を行なう運転コースが設定された場合には、乾燥工程の運転条件を変更するマニュアルキーに設定される。乾燥工程の運転条件を変更するときの脱水表示領域１１２内および乾燥表示領域１１４内の表示の変更手順は、図７（Ｄ）と同一である。そのため、脱水表示領域１１２内および乾燥表示領域１１４内の表示の変更手順についての説明は、繰り返さない。
【００８０】
以上のように、脱水工程および乾燥工程の運転条件を変更するための操作を脱水乾燥マニュアルキー１２６で行なうことにより、脱水工程および乾燥工程に別々の操作キーを割り当てるよりも設定部材を減らすことができる。また、コース選択キー３２８により洗濯運転モード、全自動運転モードおよび乾燥運転モードを選択できることにより、動作モードを切り換えるための切換キーを新たに設ける必要がなくなるため、設定部材を減らすことができる。
【００８１】
したがって、生産コストの低減を可能となる。さらに、回路基板上の配線の自由度も増加する。
【００８２】
（実施の形態４）
次に、本発明の実施の形態４におけるドラム式洗濯乾燥機１００の構成について説明する。実施の形態４におけるドラム式洗濯乾燥機１００の機械的構造の構成は、操作部２を除いて、図１および図２の構成と同じである。そのため構成の説明は繰り返さない。
【００８３】
図１２は、本発明の実施の形態４におけるの操作部２の入力キーのレイアウトを示す図である。
【００８４】
図１２を参照して、操作部２は、表示装置４０２と、予約が設定されたことを表示する予約表示領域１０４と、水温が設定されたことを表示する水温表示領域１０６と、洗い工程が設定されたことを表示する洗い表示領域１０８と、すすぎ工程が設定されたことを表示するすすぎ表示領域１１０と、洗濯運転モードにおける脱水工程または全自動運転モードおよび乾燥運転モードにおける乾燥工程の運転条件を設定するための脱水乾燥マニュアルキー４２６と、脱水工程が設定されたことを表示する脱水表示領域１１２と、乾燥工程が設定されたことを表示する乾燥表示領域１１４と、設定されたコースを表示するコース表示領域１１６と、洗濯運転モード、全自動運転モードおよび乾燥運転モードのうちで何れか一つを選択する入力キー４３０と、脱水工程および乾燥工程のうちどちらの運転条件の設定が可能であるかを表示するための設定可能表示領域４００とを備える。
【００８５】
制御装置２００は、入力キー４３０を押す毎に洗濯運転モード、全自動運転モードおよび乾燥運転モードのうち何れか一つに切り換える。動作モードを切り換えるときの表示装置４０２内の表示の変更手順は、図７（Ａ）と同一である。そのため、表示装置４０２内の表示の変更手順の説明は、繰り返さない。ここで入力キー４３０を押した直後に表示される工程以外のマニュアルキーは受け付けない。
【００８６】
図１３は、洗濯運転モード、全自動運転モードおよび乾燥運転モードを切り換える毎に変更される設定可能表示領域４００の表示を示す図である。図１３（Ａ）は、洗濯運転モードが選択された場合の設定可能表示領域４００の表示を示す図である。図１３（Ｂ）は、全自動運転モードが選択された場合の設定可能表示領域４００の表示を示す図である。図１３（Ｃ）は、乾燥運転モードが選択された場合の設定可能表示領域４００の表示を示す図である。
【００８７】
図１３（Ａ）を参照して、洗濯運転モードが選択されたときには脱水乾燥マニュアルキー４２６は、脱水工程の運転条件を変更するマニュアルキーに設定される。設定可能表示領域４００には、脱水工程マニュアルキーであることが明示される。脱水工程の運転条件を変更するときの脱水表示領域１１２内の表示の変更手順は、図７（Ｂ）と同一である。そのため、脱水表示領域１１２内の表示の変更手順の説明については、繰り返さない。
【００８８】
図１３（Ｂ）を参照して、乾燥運転モードが選択されたときには、脱水乾燥マニュアルキー４２６は、乾燥工程の運転条件を変更するマニュアルキーに設定される。設定可能表示領域４００に乾燥工程マニュアルキーであることが明示される。乾燥工程の運転条件を変更するときの乾燥表示領域１１４内の表示の変更手順は、図７（Ｃ）と同一である。そのため、乾燥表示領域１１４内の表示の変更手順の説明については、繰り返さない。
【００８９】
図１３（Ｃ）を参照して、全自動運転モードが設定されたときには脱水乾燥マニュアルキー４２６は、乾燥工程の運転条件を変更するマニュアルキーに設定される。設定可能表示領域４００に脱水工程および乾燥工程のマニュアルキーであることが明示される。乾燥工程の運転条件を変更するときの脱水表示領域１１２内および乾燥表示領域１１４内の表示の変更手順は、図７（Ｄ）と同一である。そのため、脱水表示領域１１２内および乾燥表示領域１１４内の表示の変更手順の説明については、繰り返さない。
【００９０】
以上のように、脱水工程および乾燥工程の運転条件を変更するための操作を脱水乾燥マニュアルキー１２６で行なうことにより、脱水工程および乾燥工程に別々の操作キーを割り当てるよりも設定部材を減らすことができる。
【００９１】
したがって、生産コストの低減を可能とする。さらに、回路基板上の配線の自由度も増加する。
【００９２】
また、脱水工程および乾燥工程のうち運転条件の変更が可能である工程を設定可能表示領域４００に表示することにより使用者にとって操作がわかりやすくなる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９４】
【発明の効果】
以上説明したとおり、本発明によれば、洗濯乾燥機であって、外部から脱水工程および乾燥工程の運転条件を設定する指示を受けるための操作手段と、洗濯手段、脱水手段および乾燥手段を制御するための制御手段とを備え、制御手段は、洗濯運転モードが選択されたときは、操作手段への指示に応じて脱水工程の運転条件の設定を可能とし、全自動運転モードが選択されたときは、操作手段への指示に応じて乾燥工程の運転条件の設定を可能とする場合、脱水工程および乾燥工程に別々に操作手段を割り当てるよりも設定部材を減らすことができる。
【００９５】
したがって、生産コストの低減および回路基板上の配線の自由度の増加が可能となる。
【図面の簡単な説明】
【図１】本発明の実施の形態１におけるドラム式洗濯乾燥機１００の概略斜視図である。
【図２】本発明における実施の形態１のドラム式洗濯乾燥機１００の縦断面図である。
【図３】本発明の実施の形態におけるドラム式洗濯乾燥機１００に搭載されている制御装置２００のブロック図である。
【図４】本発明の実施の形態１における操作部２の入力キーのレイアウトを示す図である。
【図５】洗いマニュアルキー１２２およびすすぎマニュアルキー１２４を押す毎に変更される表示装置１０２内の表示の変更手順を示す図である。
【図６】コース選択キー１２８を押す毎に変更されるコース表示領域１１６内の表示の変更手順を示す図である。
【図７】洗乾切換キー１３０を押す毎に変更される表示装置１０２内の表示の変更手順およびそれぞれの運転モードが選択された場合においての脱水乾燥マニュアルキー１２６を押す毎に変更される表示装置１０２内の表示の変更手順を示す図である。
【図８】本発明の実施の形態２における操作部２の入力キーのレイアウトを示す図である。
【図９】脱水乾燥マニュアルキー２２６を押下してから離すまでの連続した時間が所定時間以上となるように押す毎に変更される表示装置２０２内の表示の変更手順を示す図である。
【図１０】本発明の実施の形態３における操作部２の入力キーのレイアウトを示す図である。
【図１１】コース選択キー３２８を押す毎に変更される表示装置３０２内の表示の変更手順を示す図である。
【図１２】本発明の実施の形態４におけるの操作部２の入力キーのレイアウトを示す図である。
【図１３】洗濯運転モード、全自動運転モードおよび乾燥運転モードを切り換える毎に変更される設定可能表示領域４００の表示を示す図である。
【図１４】ドラム式洗濯乾燥機に備えられる操作部の入力キーのレイアウトの一例を示す図である。
【符号の説明】
１  筐体、２  操作部、４  ドア、６  小孔、８  水槽、１０  糸屑フィルタ、１２  排水用ポンプ、１４  循環用ポンプ、１６  ドラム駆動モータ、１８  ドラム、２０  水平軸、２２  水位センサ、２４  給水弁、２６  乾燥用ヒータ、２８  送風機、３０  循環用ダクト、３２  密閉用パッキン、３４  供給口、３６  表示装置、３８  負荷駆動回路、４０  ブザー、４２  状態検知回路、４４  入力キー回路、４６  リセット回路、４８  ＲＯＭ、５０  マイクロコンピュータ、５２  入出力装置、５４  電源回路、５６  タイマー、５８  ＲＡＭ、６０  ＣＰＵ、６２  演算部、６４  制御部、６６  ＤＢＳ、１００  ドラム式洗濯乾燥機、１０２  表示装置、１０４  予約表示領域、１０６  水温表示領域、１０８  洗い工程表示領域、１１０  すすぎ工程表示領域、１１２  脱水工程表示領域、１１４  乾燥工程表示領域、１１６  コース表示領域、１１８  予約キー、１２０  水温キー、１２２  洗いマニュアルキー、１２４  すすぎマニュアルキー、１２５  脱水マニュアルキー、１２６  脱水乾燥マニュアルキー、１２７  乾燥マニュアルキー、１２８  コース選択キー、１３０  洗乾切換キー、１３２  電源スイッチ、  １３４  スタートキー、２００  制御装置、２０２  表示装置、２２６  脱水乾燥マニュアルキー、３０２  表示装置、３２６  脱水乾燥マニュアルキー、３２８  コース選択キー、４００  設定可能表示領域、４０２  表示装置、４２６  脱水乾燥マニュアルキー、４３０  入力キー。
【図１】
2004180702.tif 000003
【図２】
2004180702.tif 000004
【図３】
2004180702.tif 000005
【図４】
2004180702.tif 000006
【図５】
2004180702.tif 000007
【図６】
2004180702.tif 000008
【図７】
2004180702.tif 000009
【図８】
2004180702.tif 000010
【図９】
2004180702.tif 000011
【図１０】
2004180702.tif 000012
【図１１】
2004180702.tif 000013
【図１２】
2004180702.tif 000014
【図１３】
2004180702.tif 000015
【図１４】
2004180702.tif 000016